(57)【要約】報告ウィンドウに基づいてマルチパス信号を報告する方法（５００）および移動局（１６０）について説明する。移動局（１６０）は移動局（１６０）内の受信ユニット（２２０）によって観察された複数のマルチパス信号の分布を決定し得る。移動局（１６０）はその分布に基づいて報告ウィンドウを決定し得る。この報告ウィンドウに基づいて、移動局（１６０）は複数のマルチパス信号のうちの少なくとも１つを報告し得る。
2005535232.tif 000002
【特許請求の範囲】
【請求項１】
無線通信システムにおいて、受信ユニットがマルチパス信号の検索のために動作可能であり、報告ウィンドウに基づいてマルチパス信号を報告する方法は、
受信ユニットによって観察された複数のマルチパス信号の分布を決定すること；
前記分布に基づいて報告ウィンドウを決定すること；および
前記報告ウィンドウに基づいて複数のマルチパス信号のうちの少なくとも１つを報告すること；
から成る方法。
【請求項２】
前記受信ユニットによって観察された複数のマルチパス信号の分布を決定する工程は、受信ユニットによって観察された複数のマルチパス信号の各々に関連するエネルギーパラメータと位置パラメータとを決定することから成る、請求項１に記載の方法。
【請求項３】
前記報告ウィンドウを決定する工程は、
検索のための検索期間を決定すること；
所定数のエネルギー／位置ペアに関連する間隔を決定することであって、該エネルギー／位置ペアの各々が前記複数のマルチパス信号のうちの１つに関連すること；および
報告ウィンドウを決定するために、前記検索期間から前記間隔を引くこと；
から成る、請求項１に記載の方法。
【請求項４】
前記報告ウィンドウを決定する工程は、報告ウィンドウが検索期間の分数であることを決定することから成る、請求項１に記載の方法。
【請求項５】
前記報告ウィンドウに基づいて複数のマルチパスのうちの少なくとも１つを報告する工程は、
複数のマルチパス信号のうちの１つに関連するエネルギー／位置ペアを生成することであって、該エネルギー／位置ペアは位置パラメータを含むこと；および
該位置パラメータが報告ウィンドウの範囲内にあることに応答して、エネルギー／位置ペアを報告すること；
から成る、請求項１に記載の方法。
【請求項６】
前記報告ウィンドウに基づいて複数のマルチパス信号のうちの少なくとも１つを報告する工程は、
複数のマルチパス信号のうちの１つに関連するエネルギー／位置ペアを生成することであって、該エネルギー／位置ペアはエネルギーパラメータを含むこと；および
該エネルギーパラメータがエネルギー閾値未満であることに応答して、エネルギー／位置ペアを報告すること；
から成る、請求項１に記載の方法。
【請求項７】
前記報告ウィンドウに基づいて複数のマルチパス信号のうちの少なくとも１つを報告する工程は、
第１のマルチパス信号に関連する第１のエネルギー／位置ペアおよび第２のマルチパス信号に関連する第２のエネルギー／位置ペアを生成することであって、第１および第２のエネルギー／位置ペアの各々はエネルギーパラメータと位置パラメータとを含んでいること；
第１のエネルギー／位置ペアの位置パラメータと第２のエネルギー／位置ペアの位置パラメータとの間の差が、位置閾値未満であることを検知すること；および
第１のエネルギー／位置ペアのエネルギーパラメータが第２のエネルギー／位置ペアのエネルギーパラメータより大きいことに応答して、第１のエネルギー／位置ペアを報告す
ること；
から成る、請求項１に記載の方法。
【請求項８】
前記通信システムが符号分割多元接続（ＣＤＭＡ）ベースの通信システムを含む、請求項１に記載の方法。
【請求項９】
無線通信システムにおいて、移動局は報告ウィンドウに基づいてマルチパス信号を報告するためのものであり、移動局が、
複数のマルチパス信号を観察するように動作可能な受信ユニット；および
検索ユニットと結合して動作し、プロセッサと、該プロセッサと結合して動作するメモリとを有するコントローラ；
を備え、
コントローラは、受信ユニットによって観察された複数のマルチパス信号の分布を決定するようにプログラムされており；
コントローラは、前記分布に基づいて報告ウィンドウを決定するようにプログラムされており；かつ
コントローラは、前記報告ウィンドウに基づいて複数のマルチパスのうちの少なくとも１つを報告するようにプログラムされている；
移動局。
【請求項１０】
複数のマルチパス信号の分布は、移動局によって観察された複数のマルチパス信号の各々に関連するエネルギーパラメータおよび位置パラメータを含む、請求項９に記載の移動局。
【請求項１１】
前記報告ウィンドウは、検索期間と所定数のエネルギー／位置ペアに関連する間隔の間の差であり、該エネルギー／位置ペアの各々が前記複数のマルチパス信号のうちの１つに関連する、請求項９に記載の移動局。
【請求項１２】
前記報告ウィンドウが検索期間の分数である、請求項９に記載の移動局。
【請求項１３】
コントローラが、複数のマルチパス信号のうちの１つに関連する、位置パラメータを含むエネルギー／位置ペアを生成するようにプログラムされており、かつ、コントローラが、位置パラメータが報告ウィンドウの範囲内にあることに応答して、エネルギー／位置ペアを報告するようにプログラムされている、請求項９に記載の移動局。
【請求項１４】
コントローラが、複数のマルチパス信号のうちの１つに関連する、エネルギーパラメータを含むエネルギー／位置ペアを生成するようにプログラムされており、かつ、コントローラが、エネルギーパラメータがエネルギー閾値未満であることに応答して、エネルギー／位置ペアを報告するようにプログラムされている、請求項９に記載の移動局。
【請求項１５】
コントローラは、第１のマルチパス信号に関連する第１のエネルギー／位置ペアおよび第２のマルチパス信号に関連する第２のエネルギー／位置ペアを生成するようにプログラムされており、第１および第２のエネルギー／位置ペアの各々はエネルギーパラメータと位置パラメータとを含み、コントローラは、第１のエネルギー／位置ペアの位置パラメータと第２のエネルギー／位置ペアの位置パラメータとの間の差が、位置閾値未満であることを検知するようにプログラムされており、かつ、コントローラは、第１のエネルギー／位置ペアのエネルギーパラメータが第２のエネルギー／位置ペアのエネルギーパラメータより大きいことに応答して、第１のエネルギー／位置ペアを報告するようにプログラムされている、請求項９に記載の移動局。
【請求項１６】
符号分割多元接続（ＣＤＭＡ）ベースの通信プロトコルに従って動作可能である、請求項９に記載の移動局。
【請求項１７】
無線通信システムにおいて、移動局が、マルチパス信号の検索のために動作可能であり、プロセッサが、報告ウィンドウに基づいてマルチパス信号を報告するコンピュータ可読媒体上で具現化されたコンピュータプログラムに従って動作し、コンピュータプログラムが、
移動局によって観察された複数のマルチパス信号の分布を決定するようにプロセッサに命令する、第１のルーチン；
前記分布に基づいた報告ウィンドウを決定するようにプロセッサに命令する、第２のルーチン；および
前記報告ウィンドウに基づいて複数のマルチパス信号のうちの少なくとも１つを報告するようにプロセッサに命令する、第３のルーチン；
を備えたコンピュータプログラム。  
【請求項１８】
前記第１のルーチンは、移動局によって観察された複数のマルチパス信号の各々に関連するエネルギーパラメータ位置パラメータとを決定するようにプロセッサに命令するルーチンを含む、請求項１７に記載のコンピュータプログラム。
【請求項１９】
前記第２のルーチンは、
検索のための検索期間を決定するようにプロセッサに命令するルーチン；
所定数のエネルギー／位置ペアに関連する間隔を決定するようにプロセッサに命令するルーチンであって、該エネルギー／位置ペアの各々が前記複数のマルチパス信号のうちの１つに関連するルーチン；および
報告ウィンドウを決定するために、前記検索期間から前記間隔を引くようにプロセッサに命令するルーチン；
を含む、請求項１７に記載のコンピュータプログラム。
【請求項２０】
前記第２のルーチンは、報告ウィンドウが検索期間の分数であることを決定するようにプロセッサに命令するルーチンを含む、請求項１７に記載のコンピュータプログラム。
【請求項２１】
前記第３のルーチンは、
複数のマルチパス信号のうちの１つに関連するエネルギー／位置ペアを生成するようにプロセッサに命令するルーチンであって、該エネルギー／位置ペアは位置パラメータを含むルーチン；および
該位置パラメータが報告ウィンドウの範囲内にあることに応答して、エネルギー／位置ペアを報告するようにプロセッサに命令するルーチン；
を含む、請求項１７に記載のコンピュータプログラム。
【請求項２２】
前記第３のルーチンは、
複数のマルチパス信号のうちの１つに関連するエネルギー／位置ペアを生成するようにプロセッサに命令するルーチンであって、該エネルギー／位置ペアはエネルギーパラメータを含むルーチン；および
該エネルギーパラメータがエネルギー閾値未満であることに応答して、エネルギー／位置ペアを報告するようにプロセッサに命令するルーチン；
を含む、請求項１７に記載のコンピュータプログラム。
【請求項２３】
前記第３のルーチンは、
第１のマルチパス信号に関連する第１のエネルギー／位置ペアおよび第２のマルチパス信号に関連する第２のエネルギー／位置ペアを生成するようにプロセッサに命令するルー
チンであって、第１および第２のエネルギー／位置ペアの各々はエネルギーパラメータと位置パラメータとを含んでいるルーチン；
第１のエネルギー／位置ペアの位置パラメータと第２のエネルギー／位置ペアの位置パラメータとの間の差が、位置閾値未満であることを検知するようにプロセッサに命令するルーチン；および
第１のエネルギー／位置ペアのエネルギーパラメータが第２のエネルギー／位置ペアのエネルギーパラメータより大きいことに応答して、第１のエネルギー／位置ペアを報告するようにプロセッサに命令するルーチン；
を含む、請求項１７に記載のコンピュータプログラム。
【請求項２４】
符号分割多元接続（ＣＤＭＡ）ベースの通信システムに従って動作可能である、請求項１７に記載のコンピュータプログラム。
【請求項２５】
前記媒体は紙、プログラマブル・ゲートアレイ、特定用途向け集積回路、消去可能プログラマブルＲＯＭ、ＲＯＭ、ＲＡＭ、磁気媒体および光学媒体のうちの１つである、請求項１７に記載のコンピュータプログラム。
【発明の詳細な説明】
【技術分野】
【０００１】
本開示は無線通信システムに関し、より詳細には、報告ウィンドウに基づいてマルチパス信号を報告する方法および移動局に関する。
【背景技術】
【０００２】
無線通信システムは、複数のシステムと複数のコンポーネントから成る複雑なネットワークである。通常のシステムおよびコンポーネントは、（１）少なくとも１つ、通常はいくつかの基地局によって通常提供される、移動局（例えば無線通信システムへのアクセスに使用されるセル式電話または加入者装置）への無線リンク、（２）基地局間の通信リンク、（３）基地局間の通信を制御し、基地局の動作および相互作用を管理するための、通常は１または複数の基地局コントローラまたは集中基地局コントローラ（ＢＳＣ／ＣＢＳＣ）である、コントローラ、（４）システム内の呼処理を行なうための、通常はモバイル交換局（ＭＳＣ）を含む、交換システム、および（５）陸線（すなわち公衆交換電話網（ＰＳＴＮ）または統合サービスディジタル網（ＩＳＤＮ））へのリンク、を含んでいる。
【０００３】
基地局サブシステム（ＢＳＳ）または無線アクセスネットワーク（ＲＡＮ）は、通常１または複数の基地局コントローラと複数の基地局を含み、無線に関連するすべての制御機能を提供する。基地局コントローラは、交換システムと基地局との間のすべての制御機能と物理リンクを提供する。また、基地局コントローラは、基地局におけるハンドオーバー、セル構成、および無線周波数（ＲＦ）電力レベルの制御を初めとする機能を提供する大容量のスイッチでもある。
【０００４】
基地局は、移動局との無線インタフェースを取り扱っている。基地局は、システム内の各通信セルにサービスを提供するために必要とされる無線装置（送受信機、アンテナ、アンプ等）を備えている。一群の基地局は基地局コントローラによって制御される。したがって、基地局コントローラは、移動局にリアルタイムの音声、データおよびマルチメディア・サービス（例えば呼出）を提供するために、基地局サブシステムの一部として基地局と共に動作する。
【０００５】
通常、移動局は、移動局に通信サービスを提供するよう動作可能な多数の基地局の存在を検知することが可能である。移動局とそれらの基地局との間の同期を支援するためには、ビーコン信号が送信される。第３世代パートナーシップ・プロジェクト（３ＧＰＰ）システムでは、例えば、ビーコン信号は、１つのスロット当たりに一回送信される主要な同期コード（ＰＳＣ）として知られている。各基地局は同じビーコン信号を送信する。しかしながら、ビーコン信号は直通路と建物や山等の物体の反射（すなわちマルチパス信号）との少なくともいずれか一方を介して移動局に至ることがあるため、移動局は１つの基地局から異なる複数のバージョンのビーコン信号を受け取る可能性がある。３ＧＰＰシステムは基地局を非同期に分布させ得るため、移動局は、別の基地局からのビーコン信号とは時間的に整合されていないある基地局からのビーコン信号を受け取る可能性がある。一般に、ホスト基地局（つまり移動局が現在位置するセルにサービスを提供する基地局）からのビーコン信号は、近隣セルにサービスを提供する基地局からのビーコン信号よりも大きなパワーで、移動局に受信され得る。すなわち、ホスト基地局からのビーコン信号は、移動局によって観察されるマルチパス・プロファイルを支配し得る。その結果、移動局は、近隣基地局の強度をネットワークに報告することができない恐れがある。
【０００６】
無線通信システムを設計する１態様は、移動局に利用可能な資源を最適化することである。詳細には、移動局内の資源の利用性を改善する１つの方法は、マルチパス信号の検索
中のデジタル信号プロセッサ（ＤＳＰ）へのローディングを低減し、直接メモリアクセス（ＤＭＡ）の数を減少させることである。そのようにするために、移動局は、検索中に報告されるマルチパス信号の数を制御する必要があり得る。したがって、マルチパス信号を報告するためのより有効な手段が必要とされている。
【０００７】
本開示では、その広い教示を例証するために、いくつかの実施形態について説明する。添付図面も参照する。
【発明を実施するための最良の形態】
【０００８】
ここで、報告ウィンドウに基づいてマルチパス信号を報告する方法および移動局について説明する。移動局は、検索期間にマルチパス信号を観察し得る。符号分割多元接続（ＣＤＭＡ）ベースの通信システムでは、例えば、検索期間は１つのフル・スロット、すなわち１ミリ秒の３分の２（２／３ミリ秒）であり得る。従って、移動局は、検索期間中に移動局によって観察された複数のマルチパス信号の分布を決定することが可能である。詳細には、移動局は、複数のマルチパス信号の各々に関連するエネルギー／位置ペアを生成するために、エネルギーパラメータおよび位置パラメータを決定し得る。複数のマルチパス信号の分布に基づいて、移動局は、現在の検索のための所定数のエネルギー／位置ペア（Ｎ）を報告するための報告ウィンドウを決定し得る。例えば、移動局は、先の検索のための検索期間（ＳＰ）と、所定数のエネルギー／位置ペア（Ｎ）に関連する間隔（Ｔ）とを決定し得る。すなわち、移動局は、先の検索のための検索期間（ＳＰ）中の間隔（Ｔ）内の所定数のエネルギー／位置ペア（Ｎ）を観察し得る。先の検索からのマルチパス信号を重複して報告することを避けるために、移動局は先の検索のための検索期間（ＳＰ）から間隔（Ｔ）を引いて、現在の検索のための報告ウィンドウ（Ｗ）を決定し得る。先の検索のための検索期間（ＳＰ）は１つのフル・スロット（Ｓ）であってもよいが、これに限定されるわけではない。したがって、報告ウィンドウ（Ｗ）は、１つのフル・スロット（Ｓ）と間隔（Ｔ）の間の差であり得る。代わりに、報告ウィンドウは、１つのフル・スロット（Ｓ）の分数（Ｓ／ｎ、ｎは整数）であってもよいが、これに限定されるわけではない。
【０００９】
報告ウィンドウ（Ｗ）に基づいて、移動局は、複数のマルチパス信号の少なくとも１つを報告し得る。すなわち、移動局は、特定のエネルギー／位置ペアの位置パラメータが報告ウィンドウの範囲内にあることに応答して、複数のマルチパス信号のうちの１つに関連するエネルギー／位置ペアを報告し得る。さらに利用可能な資源を最適化する（例えばＤＳＰへのローディングを低減しＤＭＡ転送数を減少させる）ために、移動局は、所定数のエネルギー／位置ペア（Ｎ）だけを報告してもよい。さらに、移動局は、特定のエネルギー／位置ペアのエネルギーパラメータがエネルギー閾値未満であることに応答して、報告ウィンドウ内にあるエネルギー／位置ペアを報告してもよい。ここで、移動局は、ホスト基地局からのマルチパス信号よりも弱いマルチパス信号を有し得る近隣の基地局からのマルチパス信号を報告し得る。代わりに、移動局は、エネルギー／位置ペアのエネルギーパラメータと位置パラメータの両方に基づいて、複数のマルチパス信号のうちの１つに関連するエネルギー／位置ペアを報告してもよい。例えば、移動局は、第１のマルチパス信号に関連する第１のエネルギー／位置ペアおよび第２のマルチパス信号に関連する第２のエネルギー／位置ペアを生成し得る。第１のエネルギー／位置ペアの位置パラメータと第２のエネルギー／位置ペアの位置パラメータとの間の差が、位置閾値未満である（すなわち所定数の位置によって分離される）ことを検知すると、移動局は、第１のエネルギー／位置ペアのエネルギーパラメータと第２のエネルギー／位置ペアのエネルギーパラメータを比較し、より大きなエネルギーパラメータを有するエネルギー／位置ペアを報告し得る。
【００１０】
本開示に従う通信システムを、いくつかの好ましい実施形態の点から、特に、いくつかの規格のうちの少なくとも１つに従って動作する無線通信システムの点から、説明する。
そのような規格は、先進移動電話システム（ＡＭＰＳ）、狭帯域先進移動電話システム（ＮＡＭＰＳ）、グローバル移動体通信システム（ＧＳＭ））、ＩＳ−５５時分割多元接続（ＴＤＭＡ）ディジタル・セルラ・システム、ＩＳ−９５符号分割多元接続（ＣＤＭＡ）ディジタル・セルラ・システム、ＣＤＭＡ  ２０００、パーソナル移動通信システム（ＰＣＳ）、３Ｇ、ユニバーサル・モバイル通信システム（ＵＭＴＳ）、およびそれらのプロトコルの変化形および発展形を初めとする、アナログ、ディジタルまたはデュアルモード通信システム・プロトコルを含むが、それらに限定されるわけではない。
【００１１】
図１を参照すると、無線通信システム１００は、通信網１１０と、トータル・サービス・エリア１３０にサービスを提供する、１２０および１２５として包括的に示された複数の基地局コントローラ（ＢＳＣ）とを含んでいる。そのようなシステムで知られているように、各ＢＳＣ  １２０および１２５は、トータル・サービス・エリア１３０内の、１５０，１５２，１５４，１５６として包括的に示される通信セルにサービスを提供する、１４０，１４２，１４４，１４６として包括的に示される複数の基地局（ＢＳ）と関連付けられる。ＢＳＣ１２０および１２５と、基地局１４０，１４２，１４４，１４６とは、通信セル１５０，１５２，１５４，１５６内で動作する１６０，１６２，１６４，１６６として包括的に示される移動局（ＭＳ）に無線通信サービスを提供するために適用可能な１または複数の規格に従って仕様され、かつ動作する。そのような各構成要素は、イリノイ州シャンバーグ（Schaumburg, Illinois) 所在のモトローラ社から入手可能である。
【００１２】
本明細書に開示した方法および移動局は、ＷＣＤＭＡベース通信プロトコルを初めとするＣＤＭＡベースの通信プロトコルに従って動作する無線通信システムでの使用に特に適しているが、当業者には、本発明の教示がそのような通信プロトコルに限定されるわけではないことが容易に認識されるだろう。そうではなく、当業者には、本発明の教示を他の無線通信プロトコルに使用できることが容易に認識されるだろう。
【００１３】
図２を参照すると、報告ウィンドウに基づいてマルチパス信号を報告するように適合された移動局（図１で１６０として示したもの）が示されている。移動局１６０は、通常、コントローラ２１０と受信ユニット２２０を含む。受信ユニット２２０は検索ユニット２３０とＲＡＫＥ復調器２４０を含み得るが、それらに限定されるわけではない。コントローラ２１０は、プロセッサ２５０とメモリ２６０を含む。プロセッサ２５０（例えばデジタル信号プロセッサ（ＤＳＰ）またはマイクロプロセッサ）は、メモリ２６０と結合して動作する。メモリ２６０はプロセッサ２５０に対する動作命令のプログラムまたはセットを格納している。プロセッサ２５０は移動局１６０が本明細書で説明するように動作するように、そのような動作命令のプログラムまたはセットを実行する。動作命令のプログラムまたはセットは、紙、プログラマブル・ゲートアレイ、特定用途向け集積回路（ＡＳＩＣ）、消去可能プログラマブルＲＯＭ（ＥＰＲＯＭ）、ＲＯＭ、ＲＡＭ、磁気媒体、および、光学媒体を初めとするコンピュータ可読媒体で具現化され得るが、媒体の例はそれらに限定されるわけではない。コントローラ２１０は、受信ユニット２２０と結合して動作し得る。当業者には容易に認識されるように、受信ユニット２２０はＲＡＫＥ受信機であってよいが、それに限定されるわけではない。上述したように、信号は直通路と建物や山等の物体の反射との少なくともいずれか一方を介して移動局１６０に至ることがあるため、移動局１６０は１つの基地局（例えば図１にＢＳ１４０として示す基地局）から異なる複数のバージョンのオリジナル信号を受け取る可能性がある。したがって、受信ユニット２２０は（例えばＲＡＫＥ復調器２４０を介して）オリジナル信号が検索されるよう、マルチパス信号を復調するように構成され得る。検索ユニット２３０は、移動局１６０によって観察されたマルチパス信号を報告するように構成され得る。当業者には、コントローラ２１０および受信ユニット２２０が、図２に示されるように別個のコンポーネントであってもよいし、１つのコンポーネントに統合されていてもよいことが容易に認識されるだろう。
【００１４】
図２に示される移動局１６０に適用され得る報告ウィンドウに基づいてマルチパス信号を報告する基本的なフローは、移動局１６０が（例えば検索ユニット２３０を介して）マルチパス信号を観察するために第１の検索（スロット１）をイネーブルすることから開始し得る。第１の検索（スロット１）のための検索期間（ＳＰ）中に、移動局１６０は、図３で示されるようなプロファイルを有する複数のマルチパス信号の分布を決定し得る。詳細には、移動局１６０は、複数の基地局ＢＳ１，ＢＳ２，ＢＳ３（例えば図１に１４０，１４２，１４４として示した）の各々からの複数のマルチパス信号を観察し得る。３ＧＰＰＰシステムでは、例えば、検索期間（ＳＰ）は、１つのフル・スロット（Ｓ）、例えば１ミリ秒の３分の２（２／３ミリ秒）であり得るが、これに限定されるわけではない。最初に、移動局１６０は、検索期間（ＳＰ）中に移動局１６０によって観察されたマルチパス信号に関連する所定数のエネルギー／位置ペア（Ｎ）を報告するように設定され得る。各エネルギー／位置ペアは、移動局１６０によって観察された複数のマルチパス信号のうちの１つのエネルギーパラメータおよび位置パラメータに相当し得る。エネルギーパラメータ（すなわち図３に示されるエネルギー／位置ペアの高さ）は、特定のマルチパス信号のエネルギーまたは信号強度に相当し得る。位置パラメータ（すなわちエネルギー／位置ペアの位置）は、検索ユニット２３０内の参照時間に対する特定のマルチパス信号の遅延またはオフセットに相当し得る。
【００１５】
３ＧＰＰシステムでは、例えば、移動局１６０は、通常、１つのフル・スロット（Ｓ）中に、５，１２０個のエネルギー／位置ペアを報告することが可能である。特定の検索期間に観察されるすべてのエネルギー／位置ペアを報告するために所定数のエネルギー／位置ペア（Ｎ）を設定することが可能ではあるが、移動局１６０は、資源を最適化する（すなわち移動局１６０のメモリサイズを減小させ、電力消費を低減する）ために、少数のエネルギー／位置ペアを報告するように設定可能である。例えば、移動局１６０は、検索期間（ＳＰ）中に、最も強い８つのエネルギー／位置ペア（すなわち８つの最大のエネルギーパラメータを有するマルチパス信号）を報告するように設定可能である。通常、第１の基地局１４０（ＢＳ１）のようなホスト基地局からの、複数のマルチパス信号は、第２および第３の基地局１４２，１４４（ＢＳ２，ＢＳ３）のような近隣の基地局からの複数のマルチパス信号より大きなエネルギーパラメータを有し得る。図３で示されるように、移動局１６０は単に第１および第２の基地局１４０，１４２（ＢＳ１およびＢＳ２）のみからの、所定数の８つのエネルギー／位置ペア（Ｎ）を満たしてもよい。第３の基地局１４４（ＢＳ３）に関連するエネルギー／位置ペアは、より弱いエネルギーパラメータを有し得るため、そのようなエネルギー／位置ペアは第１の検索（スロット１）のための検索期間（ＳＰ）中には報告されなくてもよい。
【００１６】
３つすべての基地局１４０，１４２，１４４（ＢＳ１，ＢＳ２，ＢＳ３）からのエネルギー／位置ペアが報告され得ることを確実にするために、移動局１６０は、第２の検索（スロット２）のための報告ウィンドウ（Ｗ）を決定し得る。例えば、移動局１６０は第１の検索（スロット１）のための検索期間（ＳＰ）を決定し得る。検索期間（ＳＰ）中に移動局１６０によって観察されたマルチパス信号と所定数のエネルギー／位置ペア（Ｎ）に基づいて、移動局１６０は、所定数のエネルギー／位置ペア（Ｎ）に関連する間隔（Ｔ）を決定し得る。
【００１７】
図３に示されるように、移動局１６０は間隔（Ｔ）内の所定数のエネルギー／位置ペア（Ｎ）、すなわち第１および第２の基地局１４０，１４２（ＢＳ１およびＢＳ２）からの複数のマルチパス信号に関連するエネルギー／位置ペアを満たし得る。第２の検索（スロット２）のための報告ウィンドウ（Ｗ）を決定するために、移動局１６０は第１の検索期間（ＳＰ）から間隔（Ｔ）を減算し得る。一例として、第１の検索（スロット１）のため検索期間（ＳＰ）は１つのフル・スロット（Ｓ）であり、報告ウィンドウ（Ｗ）は、間隔
（Ｔ）と１つのフル・スロット（Ｓ）との間の差よりも小さいか、あるいはそれと等しい。すなわちＳ−Ｔ＞＝Ｗである。第１の検索（スロット１）で報告されるのと同じマルチパス信号を報告する代わりに、移動局１６０は、第２の検索（スロット２）のための報告ウィンドウ（Ｗ）中に観察されたマルチパス信号を報告してもよい。移動局１６０は、報告ウィンドウ（Ｗ）中に、第３の基地局１４４（ＢＳ３）からの複数のマルチパス信号を観察し得る。したがって、移動局１６０は再度第１および第２の基地局１４０，１４２（ＢＳ１およびＢＳ２）からの複数のマルチパス信号を報告することを避け、第３の基地局１４４（ＢＳ３）からの複数のマルチパス信号だけを第２の検索（スロット２）の間に報告し得る。その際に、移動局１６０の消費電力は少ないであろう。その理由は、移動局１６０の検索ユニット２３０が間隔（Ｔ）の間はディセーブルされ、検索（スロット２）での報告ウィンドウ（Ｗ）内のエネルギー／位置ペアだけを報告するからである。
【００１８】
代わりに、移動局１６０は、検索期間の分数である報告ウィンドウ（Ｗ）を決定してもよい。そのような分数としては、半分（１／２）、３分の１で（１／３）、４分の１（１／４）が挙げられるがこれらに限定されるわけではない。図４を参照すると、例えば、移動局１６０は第１の報告ウィンドウ（Ｗ１）および第２の報告ウィンドウ（Ｗ２）を含むがそれらに限定されない複数の報告ウィンドウを決定し得る。検索期間（ＳＰ）が１つのフル・スロット（Ｓ）であると、第１のおよび第２の報告ウィンドウ（Ｗ１およびＷ２）の各々は、１つのフル・スロットの半分（Ｓ／２）であり得る。第１および第２の報告ウィンドウ（Ｗ１およびＷ２）の各々の間に、移動局１６０は、所定数のエネルギー／位置ペア（Ｎ）を報告し得る。上述の例に従って、所定数のエネルギー／位置ペア（Ｎ）は８と設定され得る。従って、移動局は、第１および第２の報告ウィンドウ（Ｗ１およびＷ２）の各々の間に観察された複数のマルチパス信号に関連する最も強い８つのエネルギー／位置ペアを報告し得る。移動局１６０は、第１の報告ウィンドウ（Ｗ１）の間に第１および第２の基地局１４０，１４２（ＢＳ１およびＢＳ２）からの複数のマルチパス信号を報告すると共に、第２の報告ウィンドウ（Ｗ２）の間に第３の基地局１４４（ＢＳ３）からの複数のマルチパス信号を報告し得る。その結果、３つの基地局１４０，１４２，１４４（ＢＳ１、ＢＳ２、およびＢＳ３）すべてからのエネルギー／位置ペアが通信網１１０に報告され得る。
【００１９】
移動局によって（例えばプロセッサ２５０を介して）実行されるコンピュータプログラムの１つの考えられる実施形態が、図５に例証される。当業者には、このようなコンピュータプログラムが、揮発性または不揮発性メモリや他の大容量記憶装置（例えばフロッピー（登録商標）・ディスク、コンパクト・ディスク（ＣＤ）およびディジタル・バーサタイル・ディスク（ＤＶＤ））を初めとする任意の多くのコンピュータ可読媒体に格納された、多くの様々なプログラム・コードのうちの任意のものを使用して、様々な方法のうちの任意の方法で実施できることが認識されるだろう。したがって、図５では特定の工程の順序を例証してはいるが、当業者にはそのような工程が他の一時的シーケンスで実行できることが認識されるだろう。繰り返すが、フローチャート５００は単に、報告ウィンドウに基づいてマルチパス信号を報告するように移動局１６０をプログラムする一方法の例として提供されるものである。
【００２０】
最初に、移動局１６０は、検索中に移動局１６０によって観察されたマルチパス信号に基づいて所定数のエネルギー／位置ペア（Ｎ）を報告するように設定され得る。フローチャート５００は工程５１０から始まる。工程５１０で、移動局１６０は、移動局１６０によって観察された複数のマルチパス信号の分布を決定し得る。詳細には、移動局１６０は、複数のマルチパス信号の各々に関連するエネルギー／位置ペアを決定し得る。各エネルギー／位置ペアは、複数のマルチパス信号のうちの１つのエネルギーパラメータおよび位置パラメータに相当し得る。工程５２０で、移動局１６０は、所定数のエネルギー／位置ペアを報告するために、上記の分布に基づいて報告ウィンドウ（Ｗ）を決定し得る。例え
ば、報告ウィンドウは、１つのフル・スロットの半分（Ｓ／２）や１つのフル・スロットの３分の１（Ｓ／３）を含むがこれらに限定されない検索期間（ＳＰ）の分数であってもよい。代わりに、移動局１６０は、現在の検索中にエネルギー／位置ペアを重複して報告することを避けるために、先の検索のための検索期間（ＳＰ）と、所定数のエネルギー／位置ペアに関連する間隔（Ｔ）とを決定してもよい。例えば、近隣の基地局からの複数のマルチパス信号はホスト基地局からの複数のマルチパス信号よりも弱いエネルギーパラメータを有し得るため、近隣の基地局からの複数のマルチパス信号は、先の検索中は報告されなくてもよい。先の検索中に、移動局１６０は、間隔（Ｔ）での所定数のエネルギー／位置ペア（Ｎ）を報告するのに十分な程度にマルチパス信号を観察し得る。先の検索から重複してエネルギー／位置ペアを報告することを避けるために、移動局１６０は、検索期間（ＳＰ）から間隔（Ｔ）を引くことにより、報告ウィンドウを決定し得る。例えば、報告ウィンドウ（Ｗ）は、１つのフル・スロット（Ｓ）と間隔（Ｔ）の間の差よりも小さいか、あるいはそれと等しい。従って、工程５３０で、移動局１６０は、報告ウィンドウ（Ｗ）に基づいて複数のマルチパス信号の少なくとも１つを報告し得る。例えば、移動局１６０は、エネルギー／位置ペアの位置パラメータが報告ウィンドウ（Ｗ）の範囲内にあることに応答して、エネルギー／位置ペアを報告し得る。さらに利用可能な資源を最適化するために、移動局１６０は、エネルギー／位置ペアのエネルギーパラメータがエネルギー閾値未満であることに応答して、報告ウィンドウ（Ｗ）内のエネルギー／位置ペアを報告し得る。代わりに、移動局１６０は、第１および第２のエネルギー／位置ペアのうちの１つを報告するのに先立って、第１のエネルギー／位置ペアと第２のエネルギー／位置ペアの位置パラメータを比較し得る。第１の位置パラメータと第２のエネルギー／位置ペアとの間の差が位置閾値未満であることを検知すると、移動局１６０は、第１および第２のエネルギー／位置ペアのエネルギーパラメータを比較し得る。従って、移動局１６０は、より大きなエネルギーパラメータを有するエネルギー／位置ペアを報告し得る。その結果、移動局１６０は、報告ウィンドウに基づいて所定数のエネルギー／位置ペアを報告することにより、利用可能資源を最適化することが可能である。
【００２１】
本明細書で説明した実施形態には多くの変更及び改変を成すことが可能である。いくつかの変更についての範囲は上述している。他のものについての範囲は添付の特許請求の範囲から明らかになるだろう。
【図面の簡単な説明】
【００２２】
【図１】無線通信システムのブロック図。
【図２】移動局のブロック図。
【図３】移動局に関連するマルチパス信号プロファイルの視覚的表示。
【図４】移動局に関連するマルチパス信号プロファイルの視覚的表示。
【図５】報告ウィンドウに基づいてマルチパス信号を報告する方法を説明するフローチャート。
【図１】
2005535232.tif 000003
【図２】
2005535232.tif 000004
【図３】
2005535232.tif 000005
【図４】
2005535232.tif 000006
【図５】
2005535232.tif 000007
【国際調査報告】
2005535232.tif 000008